(57)【要約】【課題】最適化ループの正常性を判定して、運用中における各機器の正常性を試験することを課題とする。【解決手段】基地局装置１は、移動端末装置２から受信した端末情報をテストパターンに置き換え、置き換えられたテストパターンに応じた制御情報を試験用制御情報として移動端末装置２に送信し、送信された試験用制御情報に対する応答を移動端末装置２から受信する。そして、基地局装置１は、受信された応答を用いて、通信の正常性を判定する。【選択図】        図１
2010252272.tif 000002
【特許請求の範囲】
【請求項１】
移動端末装置に対して送信される制御情報を試験用制御情報に置き換える制御情報置換部と、
前記制御情報置換部によって置き換えられた前記試験用制御情報を前記移動端末装置に送信する送信部と、
前記送信部によって送信された前記試験用制御情報に対する応答を前記移動端末装置から受信する応答受信部と、
前記応答受信部によって受信された前記応答を用いて、通信の正常性を判定する正常性判定部と、
を備えることを特徴とする基地局装置。
【請求項２】
前記移動端末装置から受信した端末情報を試験用端末情報に置き換える端末情報置換部をさらに備え、
前記制御情報置換部は、前記端末情報置換部によって置き換えられた前記試験用端末情報に応じた制御情報を前記試験用制御情報として置き換えることを特徴とする請求項１に記載の基地局装置。
【請求項３】
前記端末情報置換部は、前記移動端末装置から前記端末情報を受信するたびに、前記試験用端末情報の内容を順次変化させて置き換えることを特徴とする請求項２に記載の基地局装置。
【請求項４】
前記送信部は、前記試験用制御情報を送信するための伝送チャネルを他の移動端末装置が利用している場合に、当該他の移動端末装置を退避させて、当該試験用制御情報を前記移動端末装置に送信することを特徴とする請求項２または３に記載の基地局装置。
【請求項５】
前記送信部は、前記制御情報置換部によって置き換えられた前記試験用制御情報を他の基地局装置に送信し、
前記応答受信部は、前記送信部によって送信された前記試験用制御情報に対する応答を前記他の基地局から受信し、
前記正常性判定部は、前記応答受信部によって受信された前記応答を用いて、前記他の基地局との通信の正常性を判定することを特徴とする請求項１〜４のいずれか一つに記載の基地局装置。
【請求項６】
移動端末装置に対して送信される制御情報を試験用制御情報に置き換え、
置き換えられた前記試験用制御情報を前記移動端末装置に送信し、
送信された前記試験用制御情報に対する応答を前記移動端末装置から受信し、
受信された前記応答を用いて、通信の正常性を判定すること、
を特徴とする試験方法。
【発明の詳細な説明】
【技術分野】
【０００１】
本発明は、通信機器の正常性について試験する基地局装置および試験方法に関する。
【背景技術】
【０００２】
従来より、複数の通信基地局を有する移動通信において、サブキャリアを用いて周波数帯を効率的に利用する通信システムであるＯＦＤＭ（Orthogonal  Frequency  Division  Multiple  Access：直交周波数分割多元接続）通信システムが知られている（特許文献１参照）。このような通信システムにおいて、通信が正常に行われる状態であることを保持するために、基地局装置および移動局端末の通信機器の正常性について試験する技術が実施されている（特許文献２および３参照）。
【０００３】
例えば、通信機器の正常性について試験する技術として、基地局装置に搭載された試験プログラムが実運用に則した試験を行う技術が知られている。具体的には、基地局装置の試験プログラムは、実運用に則した試験を行って基地局装置内の機器の異常を監視する。
【０００４】
また、通信機器の正常性について試験する技術として、基地局装置の内部に同様の装置構成を設けて冗長構成とし、冗長構成を用いて通信の正常性検証の試験を行う技術も考えられる。例えば、冗長構成の基地局装置は、運用系の基地局装置が運用している状態で、待機系の基地局装置が通信の正常性検証の試験を行う。
【先行技術文献】
【特許文献】
【０００５】
【特許文献１】特開２００８−２５８９５６号公報
【特許文献２】特開２００２−２８０９５６号公報
【特許文献３】特開２００７−１５１１５８号公報
【発明の概要】
【発明が解決しようとする課題】
【０００６】
ところで、上記した試験プログラムを搭載して試験する技術では、実運用に則した試験を行い、基地局装置内の機器の異常を監視する処理を行いながら、移動体端末の通信を行うことができず、運用中における各機器の正常性を試験することができないという課題があった。
【０００７】
また、上記した冗長構成を用いて通信の正常性検証の試験を行う技術では、運用している状態で、待機系の基地局装置が通信の正常性検証の試験を行うが、待機系の基地局装置が運用している状態で試験を行っていない。このため、移動端末装置との通信を行って、移動端末装置からの応答を考慮した実運用に則した試験ができないという課題があった。なお、冗長構成を用いて通信の正常性検証の試験を行う技術では、基地局装置の内部に同様の装置構成を新たに設けているので、コストがかかるという課題もあった。
【０００８】
そこで、この発明は、上述した従来技術の課題を解決するためになされたものであり、運用中における各機器の正常性を適切に試験することを目的とする。
【課題を解決するための手段】
【０００９】
上述した課題を解決し、目的を達成するため、この装置は、移動端末装置に対して送信される制御情報を試験用の制御情報に置き換え、移動端末装置から送信された応答を検証することを要件とする。
【発明の効果】
【００１０】
開示の装置は、最適化ループの正常性を判定して、運用中における各機器の正常性を試験することができるという効果を奏する。
【図面の簡単な説明】
【００１１】
【図１】図１は、実施例１に係る基地局装置の構成を示すブロック図である。
【図２】図２は、テストパターン置き換え処理および測定結果変化差分検出処理について説明するための図である。
【図３】図３は、検査対象となる移動端末の検査処理を説明するための図である。
【図４】図４は、実施例１に係る基地局装置による試験処理の流れを示すシーケンス図である。
【図５】図５は、実施例２に係る基地局装置の構成を示すブロック図である。
【図６】図６は、実施例２に係る基地局装置の基地局間試験処理について説明するための図である。
【図７】図７は、実施例２に係る基地局装置による試験処理の流れを示すシーケンス図である。
【発明を実施するための形態】
【００１２】
以下に添付図面を参照して、この発明に係る基地局装置および試験方法の実施例を詳細に説明する。
【実施例１】
【００１３】
以下の実施例では、実施例１に係る基地局装置の構成および処理の流れを順に説明し、最後に実施例１による効果を説明する。なお、以下では、複数の通信基地局を有する移動通信において、セクタ等のセルに対してサブキャリアを用いて通信を行っているＯＦＤＭ通信システムの例を用いて説明する。
【００１４】
［基地局装置の構成］
次に、図１を用いて、基地局装置１の構成を説明する。図１は、実施例１に係る基地局装置１の構成を示すブロック図である。同図に示すように、この基地局装置１は、ベースバンド部１０、受信アンプ３０、送信アンプ４０、測定結果制御部５０を有し、ネットワーク等を介して試験結果を管理する装置であるオペレーション装置（図示せず）と接続される。以下にこれらの各部の処理を説明する。
【００１５】
受信アンプ３０は、移動端末装置２から受信信号を受信し、受信信号を増幅して信号分離部１６に入力する。送信アンプ４０は、送信部１５が移動端末装置２に送信する送信信号を受信し、送信信号を増幅して移動端末装置２に送信する。測定結果制御部５０は、無線特性測定結果をスケジューリング部１４から受信し、管理装置に通知する。
【００１６】
ベースバンド部１０は、テストパターン書換え部１１、テストパターン保持メモリ１２、選択部１３、スケジューリング部１４、送信部１５、信号分離部１６、測定部１７、受信部１８、デコード部１９、変化データ保持メモリ２０、測定結果変化差分検出部２１、テスト条件情報検出演算部２２を有する。
【００１７】
テストパターン保持メモリ１２は、テストパターンとして、電波情報の代表的なパターンを記憶する。具体的には、テストパターン保持メモリ１２は、電波情報として、電界強度のパターンやノイズを含んだデータのパターンを記憶する。
【００１８】
テストパターン書換え部１１は、テストパターン保持メモリ１２に記憶されたテストパターンを書き換える。具体的には、テストパターン書換え部１１は、図示しない管理装置からテストパターンを書き換える旨の指示を受信すると、受信された指示に従って、テストパターン保持メモリ１２に記憶されたテストパターンを書き換える。
【００１９】
選択部１３は、移動端末装置２から受信した端末情報である無線特性測定データをテストパターンに置き換える。具体的には、選択部１３は、スケジューリング部１４から試験を開始する旨の通知を受信した場合に、測定部１７から無線特性測定データ（例えば、電界強度や電波品質）を受信すると、テストパターン書換え部１１からテストパターンを読み出す。そして、無線特性測定データをテストパターンに置き換えて、スケジューリング部１４に通知する。
【００２０】
つまり、選択部１３は、移動端末装置２から上がってくる電界強度、品質情報をテストパターンと差し替えることで、フイードバックループを切断し、テスト情報に沿った動作の確認を行うことができる。
【００２１】
スケジューリング部１４は、移動端末装置に対して送信される制御情報を試験用制御情報に置き換え、移動端末装置２への情報を制御する。具体的には、スケジューリング部１４は、移動端末装置に対する制御ポリシーである運用パラメータと、試験処理に関する条件情報であるテスト条件情報とをオペレーション装置から受信し、無線同期用の基準となるタイミング信号である基準タイミング信号を図示しないＧＰＳ等から受信する。
【００２２】
そして、スケジューリング部１４は、スケジューリングパラメータ、運用ポリシーおよびテスト条件信号を選択部１３および測定器後部１７に通知する。ここで、スケジューリング部１４は、図２に例示するように、スケジューリングパラメータにテストインデックス情報を付加して、選択部１３に通知してもよい。
【００２３】
図２の例では、テストパターン保持メモリ１２は、テストインデックス情報にて選択されるテストパターンを保持し、また、選択部１３は、テストインデックス情報に従い、テストパターンを選択する。
【００２４】
また、スケジューリング部１４は、選択部１３からテストパターンを受信すると、テストパターンに応じた試験用制御情報を生成し、送信部１５に通知する。ここで、スケジュール部１４は、試験ターゲットとなる移動端末装置２からのサブキャリア、スロット位置を押さえ、この移動端末装置以外との通信を妨げないように制御を行い続ける。
【００２５】
また、スケジューリング部１４は、試験用制御情報を送信するためのサブキャリアを試験ターゲットとなる移動端末装置以外の他の移動端末装置が利用している場合に、他の移動端末装置を退避させて、試験用制御情報を試験ターゲットとなる移動端末装置に送信する。
【００２６】
つまり、図３に例示するように、スケジュール部１４は、試験ターゲットとなる移動端末装置Ａに対するサブキャリア、チャネルのみを対象として試験を実施することができる。
【００２７】
送信部１５は、試験用制御情報を移動端末装置２に送信する。具体的には、送信部１５は、送信データをゲートウェイから受信すると、スケジューリング部１４から制御情報を受信し、送信データに制御情報を付加して移動端末装置２に送信する。
【００２８】
信号分離部１６は、受信アンプ３０から入力された入力信号から端末情報（例えば、電界強度や電波品質）および通信データを分離する。そして、信号分離部１６は、端末情報を測定器後部１７に通知し、通信データを復調部に通知する。
【００２９】
測定部１７は、送信された試験用制御情報に対する応答を移動端末装置２から受信する。具体的には、測定部１７は、信号分離部１６から通知された端末情報から電界強度および電波品質を測定し、選択部１３および測定結果変化差分検出部２１に無線特性測定データとして通知する。
【００３０】
受信部１８は、信号分離部１６から通信データを受信し、受信された通信データに対して復調処理を行ってデコード部１９に入力する。デコード部１９は、受信部１８によって入力された通信データに対してデコード処理を行い、復調データを図示しないゲートウェイに送信する。
【００３１】
変化データ保持メモリ部２０は、測定結果変化差分検出部２１によって検出された無線特性測定データの変化差分を記憶する。
【００３２】
測定結果変化差分検出部２１は、受信された応答を用いて、自基地局装置１および移動端末装置２の正常性を判定する。具体的には、測定結果変化差分検出部２１は、測定部１７によって測定された無線特性測定データと前回測定された無線特性測定データとの差分変化量を検出し、変化データ保持メモリ部２０に記憶させる。また、測定結果変化差分検出部２１は、検出された差分変化量を管理装置に送信する。
【００３３】
テスト条件情報検出演算部２２は、受信された応答を用いて、自基地局装置１および移動端末装置２の正常性を判定する。具体的には、テスト条件情報検出演算部２２は、各通信機器が正常である場合の差分変化量である標準値を保持している。そして、テスト条件情報検出演算部２２は、変化データ保持メモリ部２０に記憶された無線特性測定データの変化差分と標準値とを比較して、各通信機器に異常があるかを判定する正常性確認処理を実行する。
【００３４】
ここで、正常性確認処理について具体的に説明する。例えば、基地局装置１は、固定的に受信情報を与え続けた場合は、フイードバックループを切断し基地局を受けた端末が、上限または下限に張り付くまで出力を変化させることになるが、この変化速度を持って応答の正常性についても確認ができる。
【００３５】
また、基地局装置１は、移動端末装置２から端末情報を受信するたびに、テストパターンの内容を順次変化させて置き換えてもよい。つまり、１度受けた情報を処理し、上昇または下降させた後も、基地局側ではさらに低いまたは高いという情報を与えることで、さらに上昇または下降を続けることになり、この変化を持って正常な応答ができている端末であると判別が可能となる。このため、テスト条件情報検出演算部２２は、フイードバックループを切断した時点から端末情報を取り出し、その端末情報の変化量を検出している。
【００３６】
［基地局装置による処理］
次に、図４を用いて、実施例１に係る基地局装置による試験処理を説明する。図４は、実施例１に係る基地局装置による試験処理の流れを示すシーケンス図である。
【００３７】
同図に示すように、移動端末装置（ＵＥ）２は、送信データを基地局装置（ＢＴＳ装置）１に送信する（ステップＳ１０１）。そして、基地局装置１の受信部１８は、送信データを受信すると、送信データから受信情報（例えば、電界強度や電波品質）を抽出する（ステップＳ１０２）。そして、受信部１８は、送信部１５に受信情報を通知している（ステップＳ１０３）。
【００３８】
一方、測定結果変化差分部２１は、機器異常を検査するための試験ターゲットとなる移動端末装置の識別番号をスケジューリング部１４に指示する（ステップＳ１０４）。そして、スケジューリング部１４は、試験ターゲットとなる移動端末装置に関する情報（例えば、移動端末装置に割り当てられたサブキャリア）を抽出する（ステップＳ１０５）。
【００３９】
続いて、送信部１５は、指定サブキャリア情報を更新し（ステップＳ１０６）、指定されたサブキャリアで通信を開始する（ステップＳ１０７）。その後、受信部１８が移動端末装置（ＵＥ）２から送信データを受信すると（ステップＳ１０８）、受信情報をテストパターンに置き換える処理を行う（ステップＳ１０９）。
【００４０】
そして、受信部１８は、受信情報を測定結果変化差分検出部２１に通知し（ステップＳ１１０）、移動端末装置２に送信するテスト用制御情報（図４では、内部固定情報と記載）を送信部１５に通知する（ステップＳ１１１）。そして、測定結果変化差分検出部２１は、受信情報を用いて、自基地局装置１および移動端末装置２の異常があるかを検出し（ステップＳ１１２）、機器異常を検出するための情報として、無線特性測定データの変化差分を変化データ保持メモリ部２０に蓄積させる（ステップＳ１１３）。また、測定結果変化差分検出部２１は、検出された差分変化量を管理装置に送信する（ステップＳ１１４）。
【００４１】
また、送信部１５は、テスト用制御情報を移動端末装置２に送信する（ステップＳ１１５）。そして、移動端末装置２は、テスト用制御情報を受信し（ステップＳ１１６）、受信されたテスト用制御情報に従い、電力制御、変調方式を選定し（ステップＳ１１７）、選定された電力制御、変調方式で送信データを基地局装置に送信する（ステップＳ１２４）。
【００４２】
また、スケジューリング部１４は、スロットを更新する（ステップＳ１１８）。続いて、送信部１５は、指定サブキャリア情報を更新し（ステップＳ１１９）、指定されたサブキャリアで通信を開始して（ステップＳ１２０）、テスト用制御情報を移動端末装置２に送信する（ステップＳ１２１）。
【００４３】
その後、スケジューリング部１４は、試験ターゲットとなる移動端末装置に関する情報を抽出する（ステップＳ１２２）。そして、受信部１８は、移動端末装置（ＵＥ）２から送信データを受信すると、受信情報をテストパターンに置き換える処理を行う（ステップＳ１２３）。続いて、受信部１８は、移動端末装置２から送信データを受信すると（ステップＳ１２４）、送信データから受信情報を抽出する（ステップＳ１２５）。続いて、受信部１８は、受信情報を測定結果変化差分検出部２１に通知し（ステップＳ１２６）、移動端末装置２に送信するテスト用制御情報を送信部１５に通知する（ステップＳ１２７）。
【００４４】
そして、測定結果変化差分検出部２１は、受信情報を用いて、自基地局装置１および移動端末装置２の異常があるかを検出し（ステップＳ１２８）、機器異常を検出するための情報として、無線特性測定データの変化差分を変化データ保持メモリ部２０に蓄積させる（ステップＳ１２９）。そして、測定結果変化差分検出部２１は、変化データ保持メモリ部２０に蓄積された無線特性測定データの変化差分と標準値とを比較して各通信機器に異常があるか判定し（ステップＳ１３０）、異常の有無を管理装置に送信する（ステップＳ１３１）。
【００４５】
その後、送信制御部１５は、指定されたサブキャリアで通信を開始して（ステップＳ１３２）、テスト用制御情報を移動端末装置２に送信する処理を続ける（ステップＳ１３３）。また、移動端末装置２は、テスト用制御情報を受信し（ステップＳ１３４）、受信されたテスト用制御情報に従い、電力制御、変調方式を選定し（ステップＳ１３５）、選定された電力制御、変調方式で送信データを基地局装置に送信し（ステップＳ１３６）、テスト用制御情報を受信する処理を続ける（ステップＳ１３７）。
【００４６】
その後、測定結果変化差分部２１は、機器異常を検査する処理の停止をスケジューリング部１４に指示する（ステップＳ１３８）。そして、スケジューリング部１４は、試験を停止する移動端末装置に関する情報を抽出する（ステップＳ１３９）。続いて、送信部１５は、指定サブキャリア情報を更新し（ステップＳ１４０）、指定されたサブキャリアで通信を開始する（ステップＳ１４１）。また、受信部１８は、受信情報をテストパターンに置き換える処理を中止し、通常の最適化ループ処理に切替を行う（ステップＳ１４２）。そして、受信部１８は、受信情報を送信部１５に通知する（ステップＳ１４３）。
【００４７】
[実施例１の効果]
上述してきたように、実施例１によれば、基地局装置１では、移動端末装置２に対して送信される制御情報を試験用制御情報に置き換え、置き換えられた試験用制御情報を移動端末装置２に送信し、送信された試験用制御情報に対する応答を移動端末装置２から受信する。そして、基地局装置１は、受信された応答を用いて、通信の正常性を判定する。このため、基地局装置１は、運用中における最適化ループの正常性を判定することで、各通信機器の正常性を運用中に試験することが可能である。
【００４８】
また、実施例１によれば、基地局装置１では、移動端末装置から受信した端末情報をテストパターンに置き換え、置き換えられたテストパターンに応じた制御情報を試験用制御情報として置き換えるので、より実運用に則した通信の正常性を試験することができる。この結果、運用中における各通信機器の正常性をより適切に試験することが可能である。
【００４９】
また、実施例１によれば、基地局装置１では、移動端末装置２から端末情報を受信するたびに、テストパラメータの内容を順次変化させて置き換える。つまり、１度受信した端末情報を処理し、上昇または下降させた後も、基地局装置１側ではさらに低いまたは高いというテストパラメータを与えることで、さらに上昇または下降を続けることになり、この変化を持って正常な応答ができていると判別できる。この結果、任意の試験方法を設定することができ、運用中における各通信機器の正常性をより適切に試験することが可能である。
【００５０】
また、実施例１によれば、基地局装置１では、試験用制御情報を送信するためのサブキャリアを試験ターゲットの移動端末装置でない他の移動端末装置が利用している場合に、他の移動端末装置を退避させて、試験用制御情報を移動端末装置に送信する。このため、他の移動端末装置の通信に影響を与えることなく試験処理を行うことが可能である。
【実施例２】
【００５１】
ところで、上記の実施例１では、基地局装置と移動端末装置との間で行う通信の正常性を試験する場合を説明したが、本発明はこれに限定されるものではなく、基地局装置と基地局装置との間で通信の正常性を試験するようにしてもよい。
【００５２】
そこで、以下の実施例２では、検査を行う基地局装置１０Ａがビームフォーミングによる伝送でテスト用制御情報を基地局装置１Ｂに送信し、通信の正常性を試験する場合として、図５〜図７を用いて、実施例２における基地局装置１０Ａ、１０Ｂの構成および処理について説明する。図５は、実施例２に係る基地局装置の構成を示すブロック図である。図６は、実施例２に係る基地局装置の基地局間試験処理について説明するための図である。図７は、実施例２に係る基地局装置による試験処理の流れを示すシーケンス図である。なお、実施例１と重複する部分の説明については、省略する。
【００５３】
また、図５に示すように、被検査側の基地局装置１Ｂは、検査側の基地局装置１Ａと比較して、テストパターン書換え部１１、テストパターン保持メモリ１２、選択部１３、変化データ保持メモリ部２０、測定結果変化差分検出部２１、テスト条件情報検出演算部２２を有しておらず、通常の基地局と同様である。このため、被検査側の基地局装置１Ｂの詳しい構成の説明も省略する。
【００５４】
図５に示すように、基地局装置１Ａは、図１に示した基地局装置１と比較して、ベースバンド部１０Ａがアンテナ制御部２３を新たに有している点が相違する。かかる基地局装置１Ａにおいて、アンテナ制御部２３は、図６に示すように、基地局設置上、電波の到達が困難な場合については、一部帯域の電波については、試験を行うタイミングにてビームフォーミングによる伝送を行う。そして、基地局装置１Ａは、ビームフォーミングによる伝送でテスト用制御情報を基地局装置１Ｂに送信し、実施例１と同様の処理を行って、通信の正常性確認を行う。
【００５５】
具体的には、図６に示すように、検査側基地局装置１Ａおよび被検査側基地局装置１Ｂは、隣接する基地局において相互の電波が到達するように設計されている。そして、検査側基地局装置１Ａは、基地局が通信できる帯域の中で、試験用の擬似端末として被検査側基地局装置１Ｂを動作させる。そして、検査側基地局装置１Ａは、応答としての品質情報についてテストパターンを返すことで、被検査側基地局１Ｂからの電界強度、変調方式の変化を確認することで、正常性を確認する。
【００５６】
次に、実施例２に係る基地局装置による試験処理について説明する。実施例２に係る基地局装置による試験処理は、図４に示した実施例１にかかる基地局装置による試験処理と比較して、被検査対象が基地局装置である点が相違する。なお、以下では、図４に示した実施例１にかかる基地局装置による試験処理で説明した処理と異なる処理のみを説明し、他の処理については省略する。
【００５７】
すなわち、図７に示すように、測定結果変化差分部２１は、機器異常を検査するための試験ターゲットとなる基地局装置の識別情報をスケジューリング部１４に指示する（ステップＳ２０４）。そして、スケジューリング部１４は、被検査対象を基地局装置１Ｂとする機器異常検査モードへと移行するように、自装置の送信部１５および被検査側基地局装置１Ｂに指示を送る（ステップＳ２０５）。
【００５８】
そして、送信部１５は、特定セクタ出力調整ビームフォーミングの送信を有効にするように設定する（ステップＳ２０６）。また、被検査側基地局装置１Ｂは、試験用スケジューリングモード情報をゲートウェイを介して受信すると（ステップＳ２０７）、試験用スケジューリングモードを起動する（ステップＳ２０８）。被検査側基地局装置１Ｂは、擬似端末として、端末機能をトレースし（ステップＳ２０９）、特定セクタ出力調整ビームフォーミングの送信を有効にするように設定する（ステップＳ２１０）。なお、その後の試験処理については、図４で説明した実施例１の試験処理と同様である。
【００５９】
このように実施例２によれば、置き換えられた試験用制御情報を他の基地局装置に送信し、送信部によって送信された試験用制御情報に対する応答を他の基地局から受信し、受信された応答を用いて、他の基地局との通信の正常性を判定する。このため、基地局同士であっても最適化ループの正常性を判定して、運用中における各機器の正常性を試験することが可能となる。
【実施例３】
【００６０】
さて、これまで本発明の実施例について説明したが、本発明は上述した実施例以外にも、種々の異なる形態にて実施されてよいものである。そこで、以下では実施例３として本発明に含まれる他の実施例を説明する。
【００６１】
（１）システム構成等
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。例えば、測定部１７と受信部１８を統合してもよい。さらに、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。
【００６２】
また、本実施例において説明した各処理のうち、自動的におこなわれるものとして説明した処理の全部または一部を手動的におこなうこともでき、あるいは、手動的におこなわれるものとして説明した処理の全部または一部を公知の方法で自動的におこなうこともできる。この他、上記文書中や図面中で示した処理手順、制御手順、具体的名称、各種のデータやパラメータを含む情報については、特記する場合を除いて任意に変更することができる。
【００６３】
（２）プログラム
なお、本実施例で説明した試験方法は、あらかじめ用意されたプログラムをパーソナルコンピュータやワークステーションなどのコンピュータで実行することによって実現することができる。このプログラムは、インターネットなどのネットワークを介して配布することができる。また、このプログラムは、ハードディスク、フレキシブルディスク（ＦＤ）、ＣＤ−ＲＯＭ、ＭＯ、ＤＶＤなどのコンピュータで読み取り可能な記録媒体に記録され、コンピュータによって記録媒体から読み出されることによって実行することもできる。
【符号の説明】
【００６４】
１  基地局装置
２  移動端末装置
１０  ベースバンド部
１１  テストパターン書換え部
１２  テストパターン保持メモリ
１３  選択部
１４  スケジューリング部
１５  送信部
１６  信号分離部
１７  測定部
１８  受信部
１９  デコード部
２０  変化データ保持メモリ
２１  測定結果変化差分検出部
２２  テスト条件情報検出演算部
３０  受信アンプ
４０  送信アンプ
５０  測定結果制御部
【図１】
2010252272.tif 000003
【図２】
2010252272.tif 000004
【図３】
2010252272.tif 000005
【図４】
2010252272.tif 000006
【図５】
2010252272.tif 000007
【図６】
2010252272.tif 000008
【図７】
2010252272.tif 000009